【手続補正書】
【提出日】平成18年7月25日(2006.7.25)
【手続補正１】
【補正対象書類名】特許請求の範囲
【補正対象項目名】全文
【補正方法】変更
【補正の内容】
【特許請求の範囲】
【請求項１】
複数の画像表示装置と前記各画像表示装置に映像情報を送信する映像情報送信装置とがネットワークを介して接続された画像表示システムであって、
前記映像情報送信装置は、前記各画像表示装置に送信する映像情報を記憶する映像情報記憶手段と、前記各画像表示装置の端末識別情報毎に、前記画像表示装置が表示すべき映像情報と表示開始時刻とを関連づけて記憶する表示開始テーブル記憶手段と、前記画像表示装置から前記画像表示装置の前記端末識別情報を受信した場合に、前記端末識別情報と現在の時刻を基に表示開始テーブルを参照し、前記画像表示装置が表示すべき映像情報と表示開始時刻の情報とを抽出する映像情報抽出手段と、前記映像情報抽出手段により抽出された前記映像情報と前記表示開始時刻を前記画像表示装置に送信する表示情報送信手段とを備え、
前記画像表示装置は、時計機能と、前記画像表示装置の端末識別情報を定期的に前記映像情報送信装置に送信する端末識別情報送信手段と、前記映像情報送信装置から受信した映像情報と表示開始時刻の情報に基づいて、表示開始時刻に、受信した映像情報を表示する映像表示手段とを備えることを特徴とする画像表示システム。
【請求項２】
前記画像表示装置は、前記映像情報を表示しない間は時計画像を常時表示することを特徴とする請求項１に記載の画像表示システム。
【請求項３】
前記画像表示装置における画像表示手段は、映像情報を表示している間、時計画像を常時表示することを特徴とする請求項１または請求項２に記載の画像表示システム。
【請求項４】
複数の画像表示装置と前記各画像表示装置に映像情報を送信する映像情報送信装置とがネットワークを介して接続された画像表示システムにおける画像表示方法であって、
前記映像情報送信装置は、前記各画像表示装置の端末識別情報毎に、前記画像表示装置が表示すべき映像情報と表示開始時刻とを表示開始テーブルとして関連づけて記憶し、前記画像表示装置から前記画像表示装置の前記端末識別情報を受信した場合に、前記端末識別情報と現在の時刻を基に表示開始テーブルを参照し、前記画像表示装置が表示すべき映像情報と表示開始時刻の情報とを抽出し、抽出した前記映像情報と前記表示開始時刻を前記画像表示装置に送信し、
前記画像表示装置は、前記画像表示装置の端末識別情報を定期的に前記映像情報送信装置に送信し、前記映像情報送信装置から受信した映像情報と表示開始時刻の情報に基づいて、表示開始時刻に、受信した映像情報を表示することを特徴とする画像表示システム。
【手続補正２】
【補正対象書類名】明細書
【補正対象項目名】０００１
【補正方法】変更
【補正の内容】
【０００１】
本発明は、駅やデパートなどに設置され、時計画像により時刻情報を表示するとともに、随時必要な映像情報を表示する画像表示システム、及び画像表示方法に関する。
【手続補正３】
【補正対象書類名】明細書
【補正対象項目名】０００３
【補正方法】変更
【補正の内容】
【０００３】
ところで、例えばデパートなどで、各階や各売場などに多数の画像表示装置を設置し、常時は時計画像で時刻情報を提供し、必要に応じて、バーゲンやイベントなどの案内情報を表示するような利用が行われるようになってきた。このような時計画像と案内情報を同時に表示するような場合は、従来は、各画像表示装置の管理と、時計画像と共に表示させる案内情報として何を表示するかは全て中央の管理サーバで集中管理されており、各画像表示装置は管理サーバから配信された映像情報をそのまま表示していた。
【手続補正４】
【補正対象書類名】明細書
【補正対象項目名】０００４
【補正方法】変更
【補正の内容】
【０００４】
しかしながら、画像表示装置が多数の場所に設置されている場合に、各画像表示装置の設置場所や時間帯に合わせて適切な画像を選択して表示することが必要なこともある。このような場合には、管理サーバでの処理ソフトウェアが複雑かつ膨大なものとなり、プログラムの開発とその管理に多大な労力を要していた。そのため、各画像表示装置に画一的な画像を表示させることで済ますことも多かった。
【手続補正５】
【補正対象書類名】明細書
【補正対象項目名】０００６
【補正方法】変更
【補正の内容】
【０００６】
しかしながら、従来の画像表示装置（電子看板など）においては、多数の画像表示装置で表示させる映像情報を中央のサーバで一括管理し、時刻毎に画像表示端末装置に必要な表示情報を選択して配信していた。このため、多数の画像表示装置が設置されている場合には、画像表示装置毎の映像情報の配信制御が複雑となり、その管理には多大の労力を必要としていた。
【手続補正６】
【補正対象書類名】明細書
【補正対象項目名】０００７
【補正方法】変更
【補正の内容】
【０００７】
本発明は、上記課題に鑑みてなされたものであり、本発明の目的は、時刻情報を提供する時計画像を表示すると共に、随時必要な映像情報の表示を行う画像表示装置が多数設置された場合にも、その制御と管理を容易にする、画像表示システム、及び画像表示方法を提供することにある。
【手続補正７】
【補正対象書類名】明細書
【補正対象項目名】０００８
【補正方法】変更
【補正の内容】
【０００８】
本発明の画像表示システムは、複数の画像表示装置と前記各画像表示装置に映像情報を送信する映像情報送信装置とがネットワークを介して接続された画像表示システムであって、
前記映像情報送信装置は、前記各画像表示装置に送信する映像情報を記憶する映像情報記憶手段と、前記各画像表示装置の端末識別情報毎に、前記画像表示装置が表示すべき映像情報と表示開始時刻とを関連づけて記憶する表示開始テーブル記憶手段と、前記画像表示装置から前記画像表示装置の前記端末識別情報を受信した場合に、前記端末識別情報と現在の時刻を基に表示開始テーブルを参照し、前記画像表示装置が表示すべき映像情報と表示開始時刻の情報とを抽出する映像情報抽出手段と、前記映像情報抽出手段により抽出された前記映像情報と前記表示開始時刻を前記画像表示装置に送信する表示情報送信手段とを備え、
前記画像表示装置は、時計機能と、前記画像表示装置の端末識別情報を定期的に前記映像情報送信装置に送信する端末識別情報送信手段と、前記映像情報送信装置から受信した映像情報と表示開始時刻の情報に基づいて、表示開始時刻に、受信した映像情報を表示する映像表示手段とを備えることを特徴とする。
【手続補正８】
【補正対象書類名】明細書
【補正対象項目名】０００９
【補正方法】変更
【補正の内容】
【０００９】
このような構成であれば、映像情報送信装置（中央の管理サーバ）は、各画像表示装置（端末）に配信する映像情報をデータベースに記憶すると共に、各画像表示装置の端末識別情報に対応して、当該画像表示装置が表示すべき映像情報の識別情報とその表示開始時刻の情報とを表示開始テーブルとして記憶する。そして、各画像表示装置は、定期的（または表示終了など必要なとき）に、各画像表示装置自身の端末識別情報を、映像情報の要求信号として、映像情報送信装置に送信する。映像情報送信装置（サーバ）は、画像表示装置からの端末識別情報を受信した場合に、該端末識別情報を基に表示開始テーブルを参照し、当該画像表示装置が表示すべき映像情報とその表示開始時刻の情報とを抽出し、抽出した映像情報とその表示開始時刻の情報を、当該画像表示装置に送信する。画像表示装置では、映像情報送信装置から受信した映像情報を、その表示開始時刻が到来すると表示を開始する。
【手続補正９】
【補正対象書類名】明細書
【補正対象項目名】００１０
【補正方法】変更
【補正の内容】
【００１０】
これにより、画像表示装置（端末）側から自身が必要とする映像情報を映像情報送信装置（サーバ）側に要求し、受信した映像情報を自身で表示することができる。すなわち、画像表示装置はプル型で映像情報送信装置から映像情報を取得して自立的に表示を行おこなうため、画一的な情報ではなく、各設置場所や時間対帯ごとに必要な情報を提供することができる。例えば、デパートなどでは、紳士服売場では婦人服売場のバーゲンの案内は行わないなど、表示する情報を選択して売場に合致したものとすることができる。また、時刻に会わせて、各階に客を誘導するように情報を表示することも可能となる。さらに、映像情報送信装置（サーバ）側で、個々の画像表示装置の表示制御を行う必要がなくなり、映像情報の配信制御とその管理が容易となる。
【手続補正１０】
【補正対象書類名】明細書
【補正対象項目名】００１１
【補正方法】変更
【補正の内容】
【００１１】
また、本発明の画像表示システムは、前記画像表示装置は、前記映像情報を表示しない間は、前記時計画像を常時表示することを特徴とする。
このような構成であれば、画像表示装置では、映像情報を表示しない場合には、時計画像により常時時刻情報を表示する。例えば、アナログ式の時計画像などを表示する。
これにより、画像表示にブランクを生じさせることなく、周囲との視覚的な調和を保ちながら、かつ有効な情報を提供することができる。
【手続補正１１】
【補正対象書類名】明細書
【補正対象項目名】００１２
【補正方法】変更
【補正の内容】
【００１２】
また、本発明の画像表示システムは、前記画像表示装置における前記時計画像表示手段は、前記映像情報を表示している間にも、前記時計画像を常時表示することを特徴とする。
このような構成であれば、画像表示装置では、映像情報を表示する場合にも、同時に時計画像を表示する。
これにより、例えば、イベント情報をイベント開始時刻とともに表示する場合には、現時時刻を同時に確認できる。また、前から表示されている時計画像の上に、文字情報などの案内情報を流すような場合には、画像が急に変化せず、自然な画面の流れとなる。
【手続補正１２】
【補正対象書類名】明細書
【補正対象項目名】００１３
【補正方法】変更
【補正の内容】
【００１３】
また、本発明の画像表示方法は、前記映像情報送信装置は、前記各画像表示装置の端末識別情報毎に、前記画像表示装置が表示すべき映像情報と表示開始時刻とを表示開始テーブルとして関連づけて記憶し、前記画像表示装置から前記画像表示装置の前記端末識別情報を受信した場合に、前記端末識別情報と現在の時刻を基に表示開始テーブルを参照し、前記画像表示装置が表示すべき映像情報と表示開始時刻の情報とを抽出し、抽出した前記映像情報と前記表示開始時刻を前記画像表示装置に送信し、
前記画像表示装置は、前記画像表示装置の端末識別情報を定期的に前記映像情報送信装置に送信し、前記映像情報送信装置から受信した映像情報と表示開始時刻の情報に基づいて、表示開始時刻に、受信した映像情報を表示することを特徴とする。
【手続補正１３】
【補正対象書類名】明細書
【補正対象項目名】００１４
【補正方法】変更
【補正の内容】
【００１４】
このような手順であれば、映像情報送信装置（中央の管理サーバ）は、各画像表示装置（端末）に配信する映像情報をデータベースに記憶すると共に、各画像表示装置の端末識別情報に対応して、当該画像表示装置が表示すべき映像情報識別情報とその表示開始時刻の情報とを表示開始テーブルとして記憶する。そして、各画像表示装置は、定期的（または表示終了など必要なとき）に、各画像表示装置自身の端末識別情報を、映像情報の要求信号として、映像情報送信装置に送信する。映像情報送信装置（サーバ）は、画像表示装置からの端末識別情報を受信した場合に、該端末識別情報を基に表示開始テーブルを参照し、当該画像表示装置が表示すべき映像情報とその表示開始時刻の情報とを抽出し、抽出した映像情報とその表示開始時刻の情報を、当該画像表示装置に送信する。画像表示装置では、映像情報送信装置から受信した映像情報を、その表示開始時刻が到来すると表示を開始する。
【手続補正１４】
【補正対象書類名】明細書
【補正対象項目名】００１５
【補正方法】変更
【補正の内容】
【００１５】
これにより、画像表示装置（端末）側から自身が必要とする映像情報を映像情報送信装置（サーバ）側に要求し、受信した映像情報を自身で表示することができる。すなわち、画像表示装置はプル型で映像情報送信装置から映像情報を取得して自立的に表示を行おこなうため、画一的な情報ではなく、各設置場所や時間帯ごとに必要な情報を提供することができる。例えば、デパートなどでは、紳士服売場では婦人服売場のバーゲンの案内は行わないなど、表示する情報を選択して売場に合致したものとすることができる。また、時刻に会わせて、各階に客を誘導するように情報を表示することも可能となる。さらに、映像情報送信装置（サーバ）側で、個々の画像表示装置の表示制御を行う必要がなくなり、映像情報の配信制御とその管理が容易となる。
【手続補正１５】
【補正対象書類名】明細書
【補正対象項目名】００２２
【補正方法】変更
【補正の内容】
【００２２】
画像表示端末１１ａ〜１１ｎは、通常は、タイムサーバ３０から取得した時刻情報を表示しており、例えば、図６（ａ）に示すような時計画像を、画像表示端末１１ａ〜１１ｎ自身の処理機能により表示している。
【手続補正１６】
【補正対象書類名】明細書
【補正対象項目名】００２３
【補正方法】変更
【補正の内容】
【００２３】
また、各画像表示端末１１ａ〜１１ｎでは、タイムサーバ３０から取得した時刻情報を基準にして、定期的（または、映像情報の表示後など非定期的）に、画像表示端末１１ａ〜１１ｎ自身の「端末識別情報」をイベントエントリサーバ１００に送信して、自身が表示すべき「映像情報」とその「表示時刻の情報」を要求する。
【手続補正１７】
【補正対象書類名】明細書
【補正対象項目名】００２４
【補正方法】変更
【補正の内容】
【００２４】
イベントエントリサーバ１００は、画像表示端末１１ａ〜１１ｎから「端末識別情報」を受信すると、「端末識別情報」を送信した画像表示端末１１ａ〜１１ｎが表示すべき「映像情報」を、画像表示端末１１ａ〜１１ｎに送信する。
【手続補正１８】
【補正対象書類名】明細書
【補正対象項目名】００２５
【補正方法】変更
【補正の内容】
【００２５】
画像表示端末１１ａ〜１１ｎは、イベントエントリサーバ１００から受信した「映像情報」を、表示開始刻になると、液晶プロジェクター１２ａ〜１２ｎとスクリーン１３ａ〜１３ｎにより表示する。この「映像情報」は、図６（ｂ）に示すように、例えば、時計映像の上に上書きして、イベントの案内情報などが流される。そして、映像情報の表示後は、次に「映像情報」を表示するまでの間は、再び時計画像を表示する状態に戻る。
【手続補正１９】
【補正対象書類名】明細書
【補正対象項目名】００２６
【補正方法】変更
【補正の内容】
【００２６】
このように、本発明においては、画像表示端末１１ａ〜１１ｎが自身が必要とする映像情報をイベントエントリサーバ１００側に要求し、受信した映像情報を自身で表示する。
【手続補正２０】
【補正対象書類名】明細書
【補正対象項目名】００２７
【補正方法】変更
【補正の内容】
【００２７】
すなわち、画像表示端末１１ａ〜１１ｎはプル型（画像表示端末１１ａ〜１１ｎからイベントエントリサーバ１００にアクセスして情報を取得する方式）で映像情報を取得して自立的に表示を行うものであり、イベントエントリサーバ１００から一方的に配信される画一的な情報ではなく、画像表示端末１１ａ〜１１ｎ自身がその設置場所や時間帯に応じた情報をイベントエントリサーバ１００から取得して提供するものである。例えば、デパートの紳士服売場では婦人服売場のバーゲンの案内は行わないなど、表示する情報を選択して売場の客層に合致した情報を提供することができる。
【手続補正２１】
【補正対象書類名】明細書
【補正対象項目名】００３１
【補正方法】変更
【補正の内容】
【００３１】
映像情報抽出機能１０２は、画像表示端末２００から受信した「端末識別情報」と「現在の時刻の情報」とを基に、データベース１２０内の表示開始テーブル１２１を参照して、当該端末が表示すべき「映像情報」と「表示開始時刻の情報」の情報を取得するための機能である。
【手続補正２２】
【補正対象書類名】明細書
【補正対象項目名】００３２
【補正方法】変更
【補正の内容】
【００３２】
表示情報送信機能１０３は、「映像情報」と「表示開始時刻の情報」を該当する画像表示端末２００に送信するための機能である。
【手続補正２３】
【補正対象書類名】明細書
【補正対象項目名】００３３
【補正方法】変更
【補正の内容】
【００３３】
なお、データベース１２０内の表示開始テーブル１２１は、図７の表示開始テーブルの例を示す図に例示するように、各画像表示端末２００ごとに設けられるテーブルであり、端末識別ＩＤごとに、「表示開始時刻」と「映像情報の識別情報」との対応関係がテーブルとして記録されたものである。イベントエントリサーバ１００では、画像表示端末２００からの端末識別情報を受信すると、この端末「識別情報」と「現在の時刻の情報」とを基にして、表示開始テーブル１２１を参照し、画像表示端末２００の端末識別情報と現在の時刻から、映像情報の識別情報を取得し、該当する「映像情報」とその「表示開始時刻の情報」とを画像表示端末２００に送信する。
【手続補正２４】
【補正対象書類名】明細書
【補正対象項目名】００３４
【補正方法】変更
【補正の内容】
【００３４】
また、画像表示端末２００内の端末識別情報送信機能２０１は、画像表示端末２００自身の識別情報をイベントエントリサーバ１００に送信するための機能であり、この端末識別情報を送信することで、イベントエントリサーバ１００に対して、「映像情報」と「表示開始時刻の情報」の送信を要求する。
【手続補正２５】
【補正対象書類名】明細書
【補正対象項目名】００３５
【補正方法】変更
【補正の内容】
【００３５】
表示情報受信機能２０２は、イベントエントリサーバ１００から「表示開始時刻の情報」と「映像情報」を受信するための機能であり、映像情報表示機能２０３は、イベントエントリサーバ１００から受信した「映像情報」を、指定された表示開始時刻に液晶プロジェクター１２とスクリーン１３により表示するための機能である。
【手続補正２６】
【補正対象書類名】明細書
【補正対象項目名】００３７
【補正方法】変更
【補正の内容】
【００３７】
また、記憶部２２０内には、画像表示端末自身の端末識別情報２２１と、イベントエントリサーバ１００から受信した映像情報２２２が表示開始時刻の情報とともに記録される。
【手続補正２７】
【補正対象書類名】明細書
【補正対象項目名】００４１
【補正方法】変更
【補正の内容】
【００４１】
イベントエントリサーバ１００は、画像表示端末２００から「端末識別情報」を受信すると（ステップＳ１０３）、この「端末識別情報」と「現在時刻の情報」を基に、データベース１２０を検索する（ステップＳ１０４）。例えば、図７に例示する表示開始テーブルを参照し、現在の時刻の次に表示すべき「映像情報」と「表示開始時刻の情報」を抽出する（ステップＳ１０５）。
【手続補正２８】
【補正対象書類名】明細書
【補正対象項目名】００４２
【補正方法】変更
【補正の内容】
【００４２】
それから、「映像情報」と「表示開始時刻の情報」を画像表示端末２００に送信する（ステップＳ１０６）。画像表示端末２００は、「映像情報」と「表示開始時刻の情報」を受信して記憶する（ステップＳ１０７）。
【手続補正２９】
【補正対象書類名】明細書
【補正対象項目名】００４３
【補正方法】変更
【補正の内容】
【００４３】
次に、画像表示端末２００は、表示開始時刻が到来したかどうかを確認する（ステップＳ１０８）。表示開始時刻でない場合は、ステップＳ１０１に戻る。表示開始時刻になると、「映像情報」を表示する（ステップＳ１０９）。
【手続補正３０】
【補正対象書類名】明細書
【補正対象項目名】００４４
【補正方法】変更
【補正の内容】
【００４４】
図４は従来のシステムとの比較を示す図である。この図が示すように、従来のシステムでは、（ａ）に示すように映像情報を絶え間なく表示端末に映像情報を流すには、管理者が常に映像情報の表示の管理をしなければ成らない。また（ｂ）に示すように映像情報が短い場合には次の映像情報が始まるまで表示端末には何も表示されないような状況になる。また（ｃ）に示すように表示時間の短い映像情報を詰めて、連続して表示できるように管理した場合でも、後の時間帯に何も表示されない時間ができてしまう為、その時間を穴埋めする為に別途映像情報を用意したり、既に表示した情報をもう一度表示するような管理を行なう必要がある。しかしながら、本発明のシステム（ｄ）では、映像情報の表示時間が短くなって、次の映像情報の表示までの時間に時計を表示しておけるので、何も表示されていない状況を発生させることがない。そのため、従来に比べて、映像情報の変更や、管理を柔軟に行うことが出来る。
【手続補正３１】
【補正対象書類名】明細書
【補正対象項目名】００４８
【補正方法】変更
【補正の内容】
【００４８】
映像情報抽出処理部１１２は、端末の識別情報と現在の時刻の情報とを基に、データベース１２０内の表示開始テーブル１２１を参照して、当該端末が表示すべき「映像情報」と「表示開始時刻の情報」の情報を取得するための処理部である。
表示情報送信処理部１１３は、「映像情報」と「表示開始時刻の情報」を画像表示端末２００に送信するための処理部である。
時刻情報取得処理部１１４は、タイムサーバ３０から定期的に時刻情報を取得するための処理部であり、画像表示端末２００における映像情報の表示などは、この時刻情報を基準にして行われる。
【手続補正３２】
【補正対象書類名】明細書
【補正対象項目名】００４９
【補正方法】変更
【補正の内容】
【００４９】
なお、データベース１２０内の表示開始テーブル１２１には、図７の表示開始テーブルの例を示す図に例示するように、各画像表示端末２００ごとに設けられるテーブルであり、端末識別ＩＤごとに、「表示開始時刻」と「映像情報の識別情報」との対応関係を記録したテーブルである。また、映像情報１２２は、画像表示端末２００に配信する静止画、動画、テキストなどの映像情報である。
【手続補正３３】
【補正対象書類名】明細書
【補正対象項目名】００５１
【補正方法】変更
【補正の内容】
【００５１】
また、処理プログラム部２１０内の端末識別情報送信処理部２１１は、画像表示端末２００自身の識別情報をイベントエントリサーバ１００に送信するための処理部であり、この端末識別情報を送信することで、イベントエントリサーバ１００に対して、「映像情報」と「表示開始時刻の情報」の送信を要求する。
【手続補正３４】
【補正対象書類名】明細書
【補正対象項目名】００５２
【補正方法】変更
【補正の内容】
【００５２】
表示情報受信処理部２１２は、イベントエントリサーバ１００から「表示開始時刻の情報」と「映像情報」を受信するための機能である。映像情報表示処理部２１３は、イベントエントリサーバ１００から受信した「映像情報」を、液晶プロジェクター１２とスクリーン１３により指定された表示開始時刻に表示するための処理部である。
【手続補正３５】
【補正対象書類名】明細書
【補正対象項目名】００５３
【補正方法】変更
【補正の内容】
【００５３】
時刻情報取得処理部２１４は、タイムサーバ３０から定期的に時刻情報を取得するための処理部であり、画像表示端末２００における映像情報の表示などは、この時刻情報を基準にして行われる。時計画像表示処理部２１５は、タイムサーバ３０から取得した時刻情報を、時計画像により表示するための処理部である（図６参照）。
【手続補正３６】
【補正対象書類名】明細書
【補正対象項目名】００５４
【補正方法】変更
【補正の内容】
【００５４】
また、記憶部２２０内には、画像表示端末自身の端末識別情報２２１と、イベントエントリサーバ１００から受信した映像情報２２２が表示開始時刻の情報とともに記録される。
【手続補正３７】
【補正対象書類名】明細書
【補正対象項目名】００５９
【補正方法】変更
【補正の内容】
【００５９】
本発明においては、画像表示装置がサーバからプル型で映像情報を取得して自立的に表示を行おこなうため、サーバから一方的に配信される画一的な情報ではなく、各設置場所ごとに必要な情報を容易に提供することができる効果を奏するので、本発明は、画像表示装置、及び画像表示方法などに適用できる。
【手続補正３８】
【補正対象書類名】明細書
【補正対象項目名】００６０
【補正方法】変更
【補正の内容】
【００６０】
【図１】本発明による画像表示システムの概念を説明するための図
【図２】本発明の画像表示システムの機能構成例を示す図
【図３】画像表示端末とイベントエントリサーバ間の処理シーケンスを示す図
【図４】従来のシステムとの比較を示す図
【図５】画像表示端末とイベントエントリサーバの構成例を示す図
【図６】画像表示端末の画像の表示例を示す図
【図７】表示開始テーブルの例を示す図
【手続補正３９】
【補正対象書類名】明細書
【補正対象項目名】００６１
【補正方法】変更
【補正の内容】
【００６１】
１1ａ〜１１ｎ…画像表示端末，１２、１２ａ〜１２ｎ…液晶プロジェクター，１３、１３ａ〜１３ｎ…スクリーン，２０…通信ネットワーク，３０…タイムサーバ，３１…時刻情報提供機能，１００…イベントエントリサーバ，１０１…端末識別情報受信機能，１０２…映像情報抽出機能，１０３…表示情報送信機能，１１０…処理プログラム部，１１１…端末識別情報受信処理部，１１２…映像情報抽出処理部，１１３…表示情報送信処理部，１１４…時刻情報取得処理部，１２０…データベース，１２１…表示開始テーブル，１２２…映像情報，２００…画像表示端末，２０１…端末識別情報送信機能，２０２…表示情報受信機能，２０３…映像情報表示機能，２０４…時計画像表示機能，２１０…処理プログラム部，２１１…端末識別情報送信処理部，２１２…表示情報受信処理部２１３…映像情報表示処理部，２１４…時刻情報取得処理部，２１５…時計画像表示処理部，２２０…記憶部，２２１…端末識別情報，２２２…映像情報